【手続補正書】
【提出日】平成17年7月5日(2005.7.5)
【手続補正１】
【補正対象書類名】特許請求の範囲
【補正対象項目名】全文
【補正方法】変更
【補正の内容】
【特許請求の範囲】
【請求項１】
オーディオ信号を符号化する方法であって、少なくとも、
符号化対象オーディオ信号の一部を調べて、符号化対象オーディオ信号の一部に実質的に一致するオーディオ信号の別の部分を求める段階と、
ピッチ予測子次数のセットを使って、オーディオ信号の実質的に一致する部分に基づいて予測信号のセットを生成する段階と、
前記の符号化対象オーディオ信号の一部を示す情報を使って、各前記予測信号に対する符号化効率を判定する段階と、
前記の判定された符号化効率を使って、符号化対象オーディオ信号の一部に対する符号化方法を選択する段階と、
オーディオ信号が前記の選択された符号化方法における予測信号に基づいて符号化される場合には、前記の判定された符号化効率を使って、各前記予測信号に対して判定された符号化効率を比較し、それにより最大符号化効率を生成するピッチ予測子次数を選択することによって、前記の選択された符号化方法に対するピッチ予測子次数を選択する段階と、
がなされることを特徴とする方法。
【請求項２】
前記の選択可能な符号化方法は、前記オーディオ信号自体に基づいて符号化対象オーディオ信号を符号化する方法を含むことを特徴とする請求項1に記載の方法。
【請求項３】
前記符号化効率は前記予測信号の各々に対して判定され、また符号化は、判定された符号化効率情報が、符号化情報量は符号化対象オーディオ信号の一部に基づいて符号化が実行される場合よりも少ないことを示す場合に、最大符号化効率を提供する予測信号に基づいて実行されることを特徴とする請求項1に記載の方法。
【請求項４】
前記符号化効率は前記予測信号の各々に対して判定され、また符号化は、最大符号化効率を提供する予測信号に基づいて実行されることを特徴とする請求項1に記載の方法。
【請求項５】
前記符号化対象オーディオ信号の一部は周波数領域へ変換されて、そのオーディオ信号の周波数スペクトルが判定され、また各予測信号は周波数領域へ変換されて、各予測信号の周波数スペクトルが判定され、そして前記符号化効率は、前記オーディオ信号の周波数スペクトルと前記予測信号の周波数スペクトルとに基づいて予測信号毎に判定されることを特徴とする請求項3〜4のいずれか一項に記載の方法。
【請求項６】
予測誤差情報は前記予測信号の各々に対して判定されることを特徴とする請求項3〜4のいずれか一項に記載の方法。
【請求項７】
前記予測信号は、前記予測信号の各々に対して異なる予測次数を使用することによって形成されることを特徴とする請求項3〜4のいずれか一項に記載の方法。
【請求項８】
前記予測信号の各々に対して判定される前記予測誤差情報は、前記オーディオ信号の周波数スペクトルと前記予測信号の周波数スペクトルとを使って表される差のスペクトルとして算出されることを特徴とする請求項6に記載の方法。
【請求項９】
前記周波数領域への変換は修正離散コサイン変換（DCT）を用いて実行されることを特徴とする請求項5に記載の方法。
【請求項１０】
前記予測信号の符号化情報（501）は、少なくとも符号化方法に関するデータ（502）と、選択次数に関するデータ（504）と、遅れ（505）と、ピッチ予測子係数（506）と、予測誤差に関するデータ（507）と、で構成されることを特徴とする請求項1〜9のいずれか一項に記載の方法。
【請求項１１】
前記オーディオ信号は各フレームに分割され、符号化は、前記オーディオ信号から形成された各フレーム毎に別個に実行されることを特徴とする請求項1〜10のいずれか一項に記載の方法。
【請求項１２】
前記オーディオ信号は音声信号であることを特徴とする請求項1〜11のいずれか一項に記載の方法。
【請求項１３】
前記の符号化されたオーディオ信号は受信装置へ送信されることを特徴とする請求項1〜12のいずれか一項に記載の方法。
【請求項１４】
オーディオ信号を符号化する手段で構成されるデータ伝送システムであって、該データ伝送システムは、
符号化対象オーディオ信号の一部を調べて、符号化対象オーディオ信号の一部に実質的に一致するオーディオ信号の別の部分を求める手段と、
ピッチ予測子次数のセットを使って、オーディオ信号の実質的に一致する部分に基づいて予測信号のセットを生成する手段と、
前記の符号化対象オーディオ信号の一部を示す情報を使って、各前記予測信号に対する符号化効率を判定する手段と、
前記の判定された符号化効率を使って、符号化対象オーディオ信号の一部に対する符号化方法を選択する手段と、
オーディオ信号が前記の選択された符号化方法における予測信号に基づいて符号化される場合には、前記の判定された符号化効率を使って、各前記予測信号に対して判定された符号化効率を比較し、それにより最大符号化効率を生成するピッチ予測子次数を選択することによって、前記の選択された符号化方法に対するピッチ予測子次数を選択する手段と、
符号化されたオーディオ信号を送信する手段と、
を有してなることを特徴とするデータ伝送システム。
【請求項１５】
前記予測信号の中の少なくとも一つに対する符号化誤差を判定する手段を有してなることを特徴とする請求項14に記載のデータ伝送システム。
【請求項１６】
前記符号化対象オーディオ信号の一部を周波数領域へ変換する手段と、各予測信号を周波数領域へ変換する手段とを有してなることを特徴とする請求項14に記載のデータ伝送システム。
【請求項１７】
受信装置へ送信されるビットストリングを形成する手段（15）を有してなり、前記ビットストリングは少なくとも選択された符号化方法に関する情報で構成されることを特徴とする請求項14に記載のデータ伝送システム。
【請求項１８】
前記オーディオ信号を各フレームに分割する手段を有してなることを特徴とする請求項14〜17のいずれか一項に記載のデータ伝送システム。
【請求項１９】
移動端末を有してなることを特徴とする請求項14〜18のいずれか一項に記載のデータ伝送システム。
【請求項２０】
オーディオ信号を符号化する手段で構成される符号器であって、該符号器は、
符号化対象オーディオ信号の一部を調べて、符号化対象オーディオ信号の一部に実質的に一致するオーディオ信号の別の部分を求める手段と、
ピッチ予測子次数のセットを使って、オーディオ信号の実質的に一致する部分に基づいて予測信号のセットを生成する手段と、
前記の符号化対象オーディオ信号の一部を示す情報を使って、各前記予測信号に対する符号化効率を判定する手段と、
前記の判定された符号化効率を使って、符号化対象オーディオ信号の一部に対する符号化方法を選択する手段と、
オーディオ信号が前記の選択された符号化方法における予測信号に基づいて符号化される場合には、前記の判定された符号化効率を使って、各前記予測信号に対して判定された符号化効率を比較し、それにより最大符号化効率を生成するピッチ予測子次数を選択することによって、前記の選択された符号化方法に対するピッチ予測子次数を選択する手段と、
を有してなることを特徴とする符号器。
【請求項２１】
前記オーディオ信号自体を符号化する手段（4，6，14）を有してなることを特徴とする請求項20に記載の符号器。
【請求項２２】
オーディオ信号を符号化する方法であって、少なくとも、
符号化対象オーディオ信号の一部を調べて、符号化対象オーディオ信号の一部に実質的に一致するオーディオ信号の別の部分を求める段階と、
ピッチ予測子次数のセットを使って、オーディオ信号の実質的に一致する部分に基づいて予測信号のセットを生成する段階と、
前記の符号化対象オーディオ信号の一部を示す情報を使って、各前記予測信号に対する符号化効率を判定する段階と、
前記の判定された符号化効率を使って、符号化対象オーディオ信号の一部に対する符号化方法を選択する段階と、
各前記予測信号に対する符号化誤差を判定する段階と、
オーディオ信号が前記の選択された符号化方法における予測信号に基づいて符号化される場合には、前記の判定された符号化誤差を使って、各前記予測信号に対して判定された符号化誤差を比較し、それにより最小符号化誤差を生成するピッチ予測子次数を選択することによって、前記の選択された符号化方法に対するピッチ予測子次数を選択する段階と、
がなされることを特徴とする方法。
【請求項２３】
オーディオ信号を符号化する方法であって、少なくとも、
符号化対象オーディオ信号の一部を調べて、符号化対象オーディオ信号の一部に実質的に一致するオーディオ信号の別の部分を求める段階と、
ピッチ予測子次数のセットを使って、オーディオ信号の実質的に一致する部分に基づいて予測信号のセットを生成する段階と、
前記の符号化対象オーディオ信号の一部を示す情報を使って、各前記予測信号に対する符号化効率を判定する段階と、
前記の判定された符号化効率を使って、符号化対象オーディオ信号の一部に対する符号化方法を選択する段階と、
各前記予測信号に対する予測誤差を判定する段階と、
オーディオ信号が前記の選択された符号化方法における予測信号に基づいて符号化される場合には、前記の判定された予測誤差を使って、各前記予測信号に対して判定された予測誤差を比較し、それにより最小予測誤差を生成するピッチ予測子次数を選択することによって、前記の選択された符号化方法に対するピッチ予測子次数を選択する段階と、
がなされることを特徴とする方法。
【請求項２４】
オーディオ信号を符号化する方法であって、少なくとも、
符号化対象オーディオ信号の一部を調べて、符号化対象オーディオ信号の一部に実質的に一致するオーディオ信号の別の部分を求める段階と、
ピッチ予測子次数のセットを使って、オーディオ信号の実質的に一致する部分に基づいて予測信号のセットを生成する段階と、
前記の符号化対象オーディオ信号の一部を示す情報を使って、各前記予測信号に対する符号化効率を判定する段階と、
前記の判定された符号化効率を使って、各前記予測信号に対して判定された符号化効率を比較し、それにより最大符号化効率を生成するピッチ予測子次数を選択することによって、選択された符号化方法に対するピッチ予測子次数を選択する段階と、
がなされることを特徴とする方法。
【請求項２５】
オーディオ信号を符号化する手段で構成される符号器であって、該符号器は、
符号化対象オーディオ信号の一部を調べて、符号化対象オーディオ信号の一部に実質的に一致するオーディオ信号の別の部分を求める手段と、
ピッチ予測子次数のセットを使って、オーディオ信号の実質的に一致する部分に基づいて予測信号のセットを生成する手段と、
前記の符号化対象オーディオ信号の一部を示す情報を使って、各前記予測信号に対する符号化効率を判定する手段と、
前記の判定された符号化効率を使って、符号化対象オーディオ信号の一部に対する符号化方法を選択する手段と、
各前記予測信号に対する符号化誤差を判定する手段と、
オーディオ信号が前記の選択された符号化方法における予測信号に基づいて符号化される場合には、前記の判定された符号化誤差を使って、各前記予測信号に対して判定された符号化誤差を比較し、それにより最小符号化誤差を生成するピッチ予測子次数を選択することによって、前記の選択された符号化方法に対するピッチ予測子次数を選択する手段と、
を有してなることを特徴とする符号器。
【請求項２６】
前記ピッチ予測子次数のセットのそれぞれの符号化効率を示す各前記予測信号についての基準値を算出する手段と、
各前記基準値同士を比較する手段と、をそなえ、
前記の判定された符号化効率を使用する手段は、最小の基準値に基づいて前記ピッチ予測子次数を選択するようにされていることを特徴とする請求項25に記載の符号器。
【請求項２７】
オーディオ信号を符号化する手段で構成される符号器であって、該符号器は、
符号化対象オーディオ信号の一部を調べて、符号化対象オーディオ信号の一部に実質的に一致するオーディオ信号の別の部分を求める手段と、
ピッチ予測子次数のセットを使って、オーディオ信号の実質的に一致する部分に基づいて予測信号のセットを生成する手段と、
前記の符号化対象オーディオ信号の一部を示す情報を使って、各前記予測信号に対する符号化効率を判定する手段と、
前記の判定された符号化効率を使って、符号化対象オーディオ信号の一部に対する符号化方法を選択する手段と、
各前記予測信号に対する予測誤差を判定する手段と、
オーディオ信号が前記の選択された符号化方法における予測信号に基づいて符号化される場合には、前記の判定された予測誤差を使って、各前記予測信号に対して判定された予測誤差を比較し、それにより最小予測誤差を生成するピッチ予測子次数を選択することによって、前記の選択された符号化方法に対するピッチ予測子次数を選択する手段と、
を有してなることを特徴とする符号器。
【請求項２８】
オーディオ信号を符号化する手段で構成される符号器であって、該符号器は、
符号化対象オーディオ信号の一部を調べて、符号化対象オーディオ信号の一部に実質的に一致するオーディオ信号の別の部分を求める手段と、
ピッチ予測子次数のセットを使って、オーディオ信号の実質的に一致する部分に基づいて予測信号のセットを生成する手段と、
前記の符号化対象オーディオ信号の一部を示す情報を使って、各前記予測信号に対する符号化効率を判定する手段と、
前記の判定された符号化効率を使って、各前記予測信号に対して判定された符号化効率を比較し、それにより最大符号化効率を生成するピッチ予測子次数を選択することによって、選択された符号化方法に対するピッチ予測子次数を選択する手段と、
を有してなることを特徴とする符号器。
【請求項２９】
請求項20，25，27および28のいずれか一項に記載の符号器で符号化されたオーディオ信号を復号化する復号器（33）であって、該復号器は、
（i）復号化対象オーディオ信号の符号化方法を判定する手段であって、
符号化方法に関する情報（502）に基づいて、受信情報が元のオーディオ信号に基づいて形成されたか否かを調べる手段と、符号化段階で使用されたピッチ予測子次数（M）を調べる手段と、をそなえる手段、および
（ii）前記の判定された符号化方法に従ってオーディオ信号を復号化する手段であって、
予測信号に関する情報を受信する手段（21）と、オーディオ信号自体に基づいて形成される符号化情報を使ってこの信号を復号化する手段と、この信号を復号化するためのピッチ予測子次数を選択する手段と、選択されたピッチ予測子次数（M）に従って予測を実行することによってこの信号を復号化する手段と、をそなえる手段、
を有してなることを特徴とする復号器。
【請求項３０】
少なくとも選択次数に関するデータ（504）と、遅れ（505）と、少なくとも一つのピッチ予測子係数（506）と、予測誤差データ（507）と、を前記受信情報から判定する手段（21）を有してなることを特徴とする請求項29に記載の復号器。
【請求項３１】
前記選択次数に関するデータ（504）と、遅れ（505）と、少なくとも一つのピッチ予測子係数（506）と、を使って予測信号を生成する手段（24，28）を有してなることを特徴とする請求項30に記載の復号器。
【請求項３２】
前記予測信号と前記予測誤差データとを使って再構成されたオーディオ信号を生成する手段（23，24，28）を有してなることを特徴とする請求項30又は31に記載の復号器。
【請求項３３】
前記オーディオ信号自体に関する情報を受信する手段（21）を有してなることを特徴とする請求項29に記載の復号器。
【請求項３４】
前記オーディオ信号自体に関する受信情報を使って再構成されたオーディオ信号を生成する手段（22，23，26）を有してなることを特徴とする請求項33に記載の復号器。
【請求項３５】
請求項1，22，23および24のいずれか一項に記載の方法に従って符号化されたオーディオ信号を復号化する方法であって、該方法は、
符号化方法に関する情報（502）に基づいて、受信情報が元のオーディオ信号に基づいて形成されたか否かを調べる段階であって、
ここにオーディオ信号自体に基づいて形成される符号化情報を使ってこの信号が復号化され、あるいは、
符号化段階で使用されたピッチ予測子次数（M）が調べられ、該ピッチ予測子次数（M）に従って予測が実行されて、そのオーディオ信号を検索する、段階を有することを特徴と
する方法。